(57)【要約】【課題】複写機の異常発生時に原稿読取装置およびプリント部の熱量による機内温度上昇および汚染物質による機内汚染を確実に防止することができる複写機を提供する。【解決手段】複写機の異常発生時、原稿読取装置およびプリント部３の動作を緊急停止させる一方、定着装置の加熱ローラの表面温度が所定温度（例えば６０゜Ｃ）に到達するまで第１ないし第３ファン７１〜７３の回転を継続させるように制御部によって制御している。【選択図】図１
2006011147.tif 000002
【特許請求の範囲】
【請求項１】
装置本体の動作時にファンの回転による吸気または排気によって装置本体を動作させる動作装置の熱量および装置本体内を汚染する汚染物質を装置本体外に排出するようにした画像形成装置において、
上記動作装置の動作および上記ファンの回転を制御する制御手段を備え、
この制御手段は、装置本体に異常が発生したとき、動作装置の動作を緊急停止させる一方、装置本体内の温度が所定温度に到達するまで上記ファンの回転を継続させるように制御していることを特徴とする画像形成装置。
【請求項２】
上記請求項１に記載の画像形成装置において、
ファンは、原稿読み取り部において原稿を読み取る際に発熱する光源からの熱量、画像形成部において現像剤を定着する際に加熱される定着装置からの熱量、装置本体内において動作装置に対し電源を供給する際に発熱する電源基板からの熱量、および装置本体内において浮遊する汚染物質をそれぞれ排出する機能を有していることを特徴とする画像形成装置。
【請求項３】
上記請求項１または請求項２に記載の画像形成装置において、
制御手段は、定着装置からの熱量に基づいてファンの回転または停止を制御していることを特徴とする画像形成装置。
【発明の詳細な説明】
【技術分野】
【０００１】
本発明は、電子写真複写機やレーザビームプリンタ等の画像形成装置に関し、特に、装置本体の異常発生時に動作装置の熱量および汚染物質を装置本体外に円滑に排出する対策に係わる。
【背景技術】
【０００２】
従来より、この種画像形成装置にあっては、装置本体の動作時にファンの回転による吸気または排気によって、装置本体を動作させる動作装置、特に、原稿を読み取る際に発熱する光源を備えた原稿読み取り部、現像剤を定着する際に加熱される定着装置を備えた画像形成部、装置本体内において動作装置に対し電源を供給する際に発熱する電源基板などの動作装置が発生する熱量や、装置本体内を浮遊して汚染する飛散現像剤やオゾンなどの汚染物質を装置本体外に排出して、装置内温度の上昇を抑えるとともに、汚染物質を除去することが行われている（例えば、特許文献１参照）。この場合、原稿読み取り部、画像形成部および電源基板などの動作装置は、制御部によって制御されている。
【特許文献１】特開平９−２１２０６６号公報
【発明の開示】
【発明が解決しようとする課題】
【０００３】
ところで、このような画像形成装置では、画像形成部による画像形成時もしくは原稿読み取り部による原稿の読み取り時に用紙のジャムなどによる異常が発生すると、制御部および電源基板を除く全ての動作装置（原稿読み取り部および画像形成部）がファンと共に一斉にシャットダウンされることになる。
【０００４】
そのため、異常の発生によりシャットダウンされるまでに動作装置の熱源（原稿読み取り部の光源および画像形成部の定着装置）が発していた熱量や電源基板の発する熱量をファンによって装置本体外に排出することができず、装置内温度が上昇してしまうことになる。しかも、異常発生時に動作装置がファンと共に一斉にシャットダウンされると、装置本体内を浮遊する飛散現像剤やオゾンなどの汚染物質が装置本体外に排出されずに滞留し、装置本体内を汚染してしまうことになる。
【０００５】
本発明は、かかる点に鑑みてなされたものであり、その目的とするところは、装置本体の異常発生時に動作装置の熱量による装置本体内の温度上昇および汚染物質による装置本体内の汚染を確実に防止することができる画像形成装置を提供することにある。
【課題を解決するための手段】
【０００６】
上記目的を達成するため、本発明では、装置本体の動作時にファンの回転による吸気または排気によって装置本体を動作させる動作装置（例えば、原稿読み取り部において原稿を読み取る際に発熱する光源、画像形成部において現像剤を定着する際に加熱される定着装置、装置本体内において動作装置に対し電源を供給する際に発熱する電源基板）からの熱量および装置本体内を汚染する汚染物質を装置本体外に排出するようにした画像形成装置を前提とし、上記動作装置の動作および上記ファンの回転を制御する制御手段を設ける。そして、上記制御手段によって、装置本体に異常が発生したとき、動作装置の動作を緊急停止させる一方、装置本体内の温度が所定温度に到達するまで上記ファンの回転を継続させるように制御している。
【０００７】
この特定事項により、画像形成部による画像形成時もしくは原稿読み取り部による原稿の読み取り時に用紙のジャムなどによる異常が発生すると、制御手段および電源基板を除く全ての動作装置（原稿読み取り部および画像形成部）が一斉にシャットダウンされてもファンの回転が継続して行われるので、異常の発生によりシャットダウンされるまでに動作装置の熱源（原稿読み取り部の光源、画像形成部の定着装置および電源基板）が発していた熱量や電源基板の発する熱量が異常発生後（動作装置のシャットダウン後）もファンによって装置本体外に円滑に排出されることになり、装置本体内の温度上昇を確実に防止することが可能となる。しかも、異常発生後も継続して回転するファンによって装置本体内を浮遊する飛散現像剤やオゾンなどの汚染物質も装置本体外に円滑に排出され、汚染物質による装置本体内の汚染を確実に防止することが可能となる。
【０００８】
更に、定着装置からの熱量に基づいてファンの回転または停止を制御手段により制御している場合には、装置本体内において最も熱量が大きく温度の下がり難い定着装置の熱量を基準にしてファンの回転が継続されることになり、動作装置からの熱量がファンによって装置本体外により円滑に排出されることになり、装置本体内の温度上昇をより確実に防止することが可能となる。
【発明の効果】
【０００９】
以上、要するに、異常発生時に装置本体内の温度が所定温度に到達するまでファンの回転を継続させるように制御することで、動作装置からの熱量および装置本体内を浮遊する汚染物質をファンによって装置本体外に円滑に排出し、装置本体内の温度上昇を確実に防止することができる上、汚染物質による装置本体内の汚染を確実に防止することができる。
【発明を実施するための最良の形態】
【００１０】
以下、本発明を実施するための最良の形態を図面に基づいて説明する。本実施形態では、本発明に係る画像形成装置をデジタル複写機に適用した場合について説明する。
【００１１】
−複写機の全体構成の説明−
図１は本実施形態に係る画像形成装置としての複写機１の内部構成の概略を示している。この図１のように、本複写機１は、動作装置としてのスキャナ部２、画像形成部としてのプリント部３（動作装置）及び原稿自動給紙部４を備えている。そして、図２にも示すように、スキャナ部２及び原稿自動給紙部４によって原稿読み取り部としての原稿読取装置が構成されている。以下、各部について説明する。
【００１２】
＜スキャナ部２の説明＞
スキャナ部２は、透明なガラス等で成る原稿台４１上に載置された原稿の画像や原稿自動給紙部４により１枚ずつ給紙される原稿の画像を読み取って画像データを作成する部分である。このスキャナ部２は、光源としての露光光源２１、複数の反射鏡２２，２３，２４、結像レンズ２５、光電変換素子（ＣＣＤ：Charge Coupled Device）２６を備えている。
【００１３】
上記露光光源２１は、原稿自動給紙部４の原稿台４１上に載置された原稿や原稿自動給紙部４を搬送される原稿に対して光を照射するものである。各反射鏡２２，２３，２４は、図１に破線で光路を示すように、原稿からの反射光を一旦図中左方向に反射させた後、下方に反射させ、その後、結像レンズ２５に向かうように図中右方向に反射させるようになっている。
【００１４】
原稿の画像読み取り動作として、上記原稿台４１上に原稿が載置された場合（「シート固定方式」として使用する場合）には、露光光源２１及び反射鏡２２が図１に実線で示す位置と仮想線で示す位置との間を原稿台４１に沿って水平方向に走査して、原稿全体の画像を読み取ることになる。一方、原稿自動給紙部４を搬送される原稿を読み取る場合（「シート移動方式」として使用する場合）には、露光光源２１及び反射鏡２２が図１に実線で示す位置に固定され、後述する原稿自動給紙部４の原稿読取部４２を原稿が通過する際にその画像を読み取ることになる。尚、この原稿読取部４２は、後述するプラテンガラス４２ａ、原稿押え板４２ｂ、露光光源２１、反射鏡２２，２３，２４、結像レンズ２５、光電変換素子２６により構成されている。
【００１５】
上記各反射鏡２２，２３，２４で反射されて結像レンズ２５を通過した光は光電変換素子２６に導かれ、この光電変換素子２６において反射光が電気信号（原稿画像データ）に変換されるようになっている。
【００１６】
＜プリント部３の説明＞
プリント部３は、画像形成系３１と用紙搬送系３２とを備えている。
【００１７】
画像形成系３１は、図示しないレーザスキャニングユニットとドラム型の感光体３１ｂとを備えている。レーザスキャニングユニットは、上記光電変換素子２６において変換された原稿画像データに基づいたレーザ光を感光体３１ｂの表面に照射するものである。感光体３１ｂは、図１中に矢印で示す方向に回転し、レーザスキャニングユニットからのレーザ光が照射されることによってその表面に静電潜像が形成されるようになっている。
【００１８】
また、感光体３１ｂの外周囲には、上記レーザスキャニングユニットの他に、現像装置３１ｃ、転写チャージャ３１ｄ、図示しないクリーニング装置、除電器および主帯電器が周方向に亘って順に配設されている。現像装置３１ｃは、感光体３１ｂの表面に形成された静電潜像をトナーにより可視像に現像するものである。転写チャージャ３１ｄは、感光体３１ｂの表面に形成されたトナー像を記録媒体としての画像形成用紙（図示せず）に転写するものである。クリーニング装置は、トナー転写後において感光体３１ｂの表面に残留したトナーを除去するようになっている。除電器は、感光体３１ｂの表面の残留電荷を除去するものである。主帯電器は、静電潜像が形成される前の感光体３１ｂの表面を所定の電位に帯電させるようになっている。
【００１９】
このため、画像形成用紙に画像を形成する際には、主帯電器によって感光体３１ｂの表面が所定の電位に帯電され、レーザスキャニングユニットが原稿画像データに基づいたレーザ光を感光体３１ｂの表面に照射する。その後、現像装置３１ｃが感光体３１ｂの表面にトナーによる可視像を現像し、転写チャージャ３１ｄによって、トナー像が画像形成用紙に転写される。更に、その後、感光体３１ｂの表面に残留したトナーはクリーニング装置によって除去されると共に、感光体３１ｂの表面の残留電荷が除電器によって除去される。これにより、画像形成用紙への画像形成動作（印字動作）の１サイクルが終了する。このサイクルが繰り返されることにより、複数枚の画像形成用紙に対して連続的に画像形成を行うことができるようになっている。
【００２０】
一方、用紙搬送系３２は、用紙収容部としての用紙カセット３３に収容された画像形成用紙を１枚ずつ搬送して上記画像形成系３１による画像形成を行わせると共に、画像形成された画像形成用紙を用紙排出部としての排紙トレイ３５へ排出するものである。
【００２１】
この用紙搬送系３２は、主搬送路３６と反転搬送路３７とを備えている。主搬送路３６は、一端が分岐されて用紙カセット３３の排出側に対向していると共に他端が排紙トレイ３５に対向している。反転搬送路３７は、一端が転写チャージャ３１ｄの配設位置よりも上流側（図中下側）で主搬送路３６に繋がっていると共に、他端が転写チャージャ３１ｄの配設位置よりも下流側（図中上側）で主搬送路３６に繋がっている。
【００２２】
主搬送路３６の上流端（用紙カセット３３の排出側に対向する部分）には断面が半円状のピックアップローラ３６ａが配設されている。このピックアップローラ３６ａの回転により、用紙カセット３３に収容されている画像形成用紙を１枚ずつ間欠的に主搬送路３６に給紙できるようになっている。
【００２３】
この主搬送路３６における転写チャージャ３１ｄの配設位置よりも上流側には、レジストローラ３６ｄ，３６ｄが配設されている。このレジストローラ３６ｄ，３６ｄは、感光体３１ｂ表面のトナー像と画像形成用紙との位置合わせを行いながら画像形成用紙を搬送するものである。主搬送路３６における転写チャージャ３１ｄの配設位置よりも下流側には、画像形成用紙に転写されたトナー像を定着させる定着装置３９が配設されている。この定着装置３９は、内部にヒータ３９ｈを有する加熱ローラ３９ａと、この加熱ローラ３９ａに対し画像形成用紙を介して圧接される加圧ローラ３９ｂとを備えている。そして、加熱ローラ３９ａの表面温度はサーミスタ（図示せず）により検出され、この検出値が定着設定温度に保持されるように、後述する制御部によってヒータ３９ｈに対する通電量が制御されるようになっている。また、主搬送路３６の下流端には、画像形成用紙を排紙トレイ３５に排紙するための一対の排紙ローラ３６ｇ，３６ｇが配設されている。
【００２４】
反転搬送路３７には搬送ローラ３７ａ，３７ａが配設されており、画像形成用紙が反転搬送路３７に供給された場合には、この搬送ローラ３７ａ，３７ａによって画像形成用紙が搬送され、レジストローラ３６ｄの上流側で画像形成用紙が反転されて再び転写チャージャ３１ｄに向かって主搬送路３６を搬送されるようになっている。つまり、画像形成用紙の裏面に対して画像形成が行えるようになっている。
【００２５】
＜原稿自動給紙部４の説明＞
次に、原稿自動給紙部４を図２に基づいて説明する。この原稿自動給紙部４は、所謂自動両面原稿搬送装置として構成されている。この原稿自動給紙部４は、シート移動式として使用可能であって、原稿トレイ４３、中間トレイ４４、原稿排紙トレイ４５及び各トレイ４３，４４，４５間で原稿を搬送する原稿搬送系４６を備えている。
【００２６】
上記原稿搬送系４６は、原稿トレイ４３に載置された原稿６，６，…を、原稿読取部４２を経て中間トレイ４４または原稿排紙トレイ４５へ搬送するための主搬送路４７と、中間トレイ４４上の原稿６を主搬送路４７に供給するための副搬送路４８とを備えている。
【００２７】
主搬送路４７の上流端（原稿トレイ４３の排出側に対向する部分）には原稿ピックアップローラ４７ａ及び捌きローラ４７ｂが配設されている。捌きローラ４７ｂの下側には捌き板４７ｃが配設されており、原稿ピックアップローラ４７ａの回転に伴って原稿トレイ４３上の原稿６，６，…のうちの１枚がこの捌きローラ４７ｂと捌き板４７ｃとの間を通過して主搬送路４７に給紙されるようになっている。主搬送路４７と副搬送路４８との合流部分（図中Ａ部分）には原稿６の通過を検知するための原稿入紙センサ４７ｄが配設されている。更に、この原稿入紙センサ４７ｄの配設位置よりも下流側にはＰＳローラ４７ｅ，４７ｅが配設されている。このＰＳローラ４７ｅ，４７ｅは、原稿６の先端とスキャナ部２の画像読み取りタイミングとを調整して原稿６を原稿読取部４２に供給するものである。つまり、このＰＳローラ４７ｅ，４７ｅは原稿６が供給された状態でその原稿６の搬送を一旦停止し、上記タイミングを調整して原稿６を原稿読取部４２に供給するようになっている。
【００２８】
原稿読取部４２は、プラテンガラス４２ａと原稿押え板４２ｂとを備え、ＰＳローラ４７ｅ，４７ｅから供給された原稿６がプラテンガラス４２ａと原稿押え板４２ｂとの間を通過する際に、上記露光光源２１からの光がプラテンガラス４２ａを通過して原稿６に照射されるようになっている。この際、上記スキャナ部２による原稿画像データの取得が行われる。上記原稿押え板４２ｂの背面（上面）にはコイルスプリング４２ｃによる付勢力が付与されている。これにより、原稿押え板４２ｂがプラテンガラス４２ａに対して所定の押圧力をもって接触しており、原稿６が原稿読取部４２を通過する際にプラテンガラス４２ａから浮き上がることを阻止している。
【００２９】
原稿読取部４２の下流側には、搬送ローラ４７ｆ及び原稿排紙ローラ４７ｇが備えられている。原稿読取部４２を通過した原稿６が搬送ローラ４７ｆ及び原稿排紙ローラ４７ｇを経て中間トレイ４４または原稿排紙トレイ４５へ排紙される構成となっている。尚、上記各ローラ４７ｅ，４７ｆ，４７ｇのうち図２中で回転方向に矢印を付したものが駆動ローラであって、それに接触するローラが従動ローラとなっている。
【００３０】
原稿排紙ローラ４７ｇと中間トレイ４４との間には中間トレイ揺動板４４ａが配設されている。この中間トレイ揺動板４４ａは、中間トレイ４４側の端部が揺動中心とされて、図２に実線で示すポジション１と仮想線で示すポジション２との間で揺動可能となっている。中間トレイ揺動板４４ａがポジション１にある場合には原稿排紙ローラ４７ｇ，４７ｇから排紙された原稿６は原稿排紙トレイ４５へ回収される。一方、中間トレイ揺動板４４ａがポジション２にある場合には原稿排紙ローラ４７ｇ，４７ｇから排紙された原稿６は中間トレイ４４へ排出されるようになっている。この中間トレイ４４への排紙時には、図２に仮想線で示すように、原稿６の端縁（図中の右端縁）が原稿排紙ローラ４７ｇ，４７ｇ間に挟持された状態となっており、この状態から原稿排紙ローラ４７ｇが逆回転することによって原稿６が副搬送路４８に供給され、この副搬送路４８を経て再び主搬送路４７に送り出されるようになっている。この原稿排紙ローラ４７ｇの逆回転動作は、主搬送路４７への原稿６の送り出しと画像読み取りタイミングとを調整して行われる。これにより、原稿６の裏面の画像が原稿読取部４２によって読み取られるようになっている。
【００３１】
また、主搬送路４７の上流端（原稿トレイ４３における図２中の右端近傍位置）には、原稿トレイ４３上に原稿６が存在するか否かを検知するための原稿検知センサ４Ａが設けられている。また、主搬送路４７の下流端近傍位置であって、副搬送路４８との分岐部分（図中Ｂ部分）付近には、この主搬送路４７を搬送される原稿６の先端（搬送方向の下流側端縁）が通過したことを検知可能な原稿先端検知センサ４Ｂが設けられている。
【００３２】
そして、上記プリント部３（画像形成系３１および用紙搬送系３２）並びに原稿読取装置（スキャナ部２および原稿自動給紙部４）は、図示しない制御手段としての制御部によってその動作がそれぞれ制御されるようになっている。また、プリント部３の近傍には、プリント部３および原稿読取装置に対し制御部からの指令に従って電源を供給する電源基板６９が設けられている。
【００３３】
−ファンの説明−
次に、本実施形態の特徴とする構成として、複写機１を動作させるプリント部３および原稿読取装置（スキャナ部２および原稿自動給紙部４）の動作時に発生する熱量および複写機１内を汚染する汚染物質を複写機外に排出するファンについて説明する。
【００３４】
プリント部は、図１に示すように、スキャナ部２に対し筐体によって区画されており、その右側面上部位置に第１ファン７１が設けられているとともに、排紙トレイ３５に臨むように主搬送路３６の下流端下方の左側面下部位置に第２ファン７２が設けられている。
上記第１ファン７１は、プリント部において現像剤を定着させる際に加熱される定着装置３９の加熱ローラ３９ａ、およびプリント部３および原稿読取装置に対し電源を供給する際に発熱する電源基板６９などを冷却するために複写機１外の空気を複写機１内に導入するために供されるものであり、一方、上記第２ファン７２は、第１ファン７１により導入されて加熱ローラ３９ａや電源基板６９などの冷却に要した空気、および筐体内において浮遊して汚染する飛散現像剤やオゾンなどの汚染物質を負圧の作用により複写機１外に排出するために供されるものである。この場合、第１および第２ファン７１，７２も、制御部によって制御されている。
【００３５】
また、スキャナ部２は、図２にも示すように、プリント部３に対しその上方に筐体によって区画されており、その右側面に第３ファン７３が設けられているとともに、左側面にスリット７４が設けられている。上記第３ファン７３は、スキャナ部２において原稿を読み取る際に発熱する露光光源２１を冷却するために複写機１外の空気を複写機１内（筐体内）に導入するために供されるものであり、一方、スリット７４は、第３ファン７３により導入されて露光光源２１の冷却に要した空気を対流の作用により複写機１外に排出するために供されるものである。この場合、第３ファン７３も、制御部によって制御されている。
【００３６】
ここで、プリント部３の画像形成系３１による画像形成時もしくは原稿読取装置による原稿６の読み取り時に用紙搬送系３２において搬送されている画像形成用紙や原稿自動給紙部４において搬送されている原稿６にジャムなどによる異常が発生した場合の制御部による制御の流れを図３に基づいて説明する。
【００３７】
まず、ジャムなどによる異常が発生すると、図３のステップＳＴ１において、電源基板６９を除く全ての原稿読取装置およびプリント部３を一斉に緊急停止させる一方、第１ないし第３ファン７１〜７３の回転を継続させる。次いで、ステップＳＴ２において、図示しない操作板の表示部に「ジャムの発生」の旨を表示し、ジャムが発生している画像形成用紙または原稿の除去つまりジャム紙の除去を促す。それから、ステップＳＴ３において、ジャム紙（ジャムが発生している画像形成用紙または原稿）が除去されるまで待機した後、ステップＳＴ４で、複写機１の初期化処理を行う。この初期化処理では、第１ないし第３ファン７１〜７３の制御を異常が発生する前の状態に戻す。
【００３８】
このとき、上記ステップＳＴ２ないしステップＳＴ４の手順と並行して、第１ないし第３ファン７１〜７３の回転を継続させる際のファン制御をステップＳＴ１１ないしステップＳＴ１３の手順に従って行う。
【００３９】
つまり、上記ステップＳＴ１において第１ないし第３ファン７１〜７３の回転を継続させた後、ステップＳＴ１１で、定着装置３９の加熱ローラ３９ａからの熱量、つまりサーミスタにより検出された検出値（加熱ローラ３９ａの表面温度）が、所定温度（例えば６０゜Ｃ）以上であるか否かを判定する。このステップＳＴ１１の判定が、加熱ローラ３９ａの表面温度が所定温度以上であるＹＥＳの場合には、ステップＳＴ１２において、複写機１の初期化処理が行われたか否かを判定する。このステップＳＴ１２の判定が、複写機１の初期化処理が行われたＹＥＳの場合には、ステップＳＴ５に進む一方、複写機１の初期化処理が行われていないＮＯの場合には、上記ステップＳＴ１１に戻る。一方、上記ステップＳＴ１１の判定が、加熱ローラ３９ａの表面温度が所定温度未満であるＮＯの場合には、ステップＳＴ１３において、第１ないし第３ファン７１〜７３の回転を停止する。
【００４０】
それから、ステップＳＴ５において、ジャムが発生していた画像形成用紙または原稿の画像形成を継続して行うか否かを判定する。このステップＳＴ５の判定が、画像形成用紙または原稿の画像形成を継続して行うＹＥＳの場合には、ステップＳＴ６で、スタートキーが押されるまで待機する。その後、ステップＳＴ７において、画像形成処理を再開した後、ステップＳＴ８で、画像形成処理が完了するまで待機した後、複写機１の待機状態に移行する。一方、上記ステップＳＴ５の判定が、画像形成用紙または原稿の画像形成を継続して行わないＮＯの場合には、ステップＳＴ９で、画像形成処理を解除するクリアキーが押されるまで待機した後、複写機１の待機状態に移行する。
【００４１】
したがって、上記実施形態では、プリント部３の画像形成系３１による画像形成時もしくは原稿読取装置による原稿６の読み取り時に用紙搬送系３２において搬送されている画像形成用紙や原稿自動給紙部４において搬送されている原稿６にジャムなどによる異常が発生すると、電源基板６９を除く全ての原稿読取装置およびプリント部３が一斉に緊急停止されても第１ないし第３ファン７１〜７３の回転が継続して行われるので、異常の発生によりシャットダウンされるまでにスキャナ部２の露光光源２１およびプリント部の定着装置３９の加熱ローラ３９ａが発していた熱量や、電源基板６９の発する熱量が異常発生後（プリント部３および原稿読取装置のシャットダウン後）も第１ないし第３ファン７１〜７３による負圧作用や対流作用によって複写機１外に円滑に排出されることになり、複写機１内の温度上昇を確実に防止することができる。しかも、異常発生後も継続して回転する第１ないし第３ファン７１〜７３によって複写機１の筐体内を浮遊する飛散現像剤やオゾンなどの汚染物質も複写機１外に円滑に排出され、汚染物質による複写機１内の汚染を確実に防止することができる。
【００４２】
更に、異常発生後の第１ないし第３ファン７１〜７３の回転は、加熱ローラ３９ａの表面温度が所定温度（例えば６０゜Ｃ）に到達するまで継続して行われるように制御されているので、複写機１内において最も熱量が大きく温度の下がり難い定着装置３９の加熱ローラ３９ａの熱量を基準にして各ファン７１〜７３の回転が継続されることになり、原稿読取装置およびプリント部３からの熱量が各ファン７１〜７３によって複写機１外により円滑に排出され、複写機１内の温度上昇をより確実に防止する上で非常に有利なものとなる。
【００４３】
なお、上記実施形態では、第１ないし第３ファン７１〜７３による負圧作用や対流作用によってスキャナ部２の露光光源２１、定着装置３９の加熱ローラ３９ａおよび電源基板６９の熱量や汚染物質を複写機１外に排出するようにしたが、ファンの個数はこれに限定されるものではなく、原稿読取装置およびプリント部３からの熱量および汚染物質の発生箇所に応じてファンの個数が選定されるようにすればよい。
【図面の簡単な説明】
【００４４】
【図１】本発明の実施形態に係る複写機の内部構成の概略を示す図である。
【図２】原稿自動給紙部及びその周辺部分を示す概略図である。
【図３】ジャムなどによる異常が発生した場合の制御部による制御の流れを示すフローチャート図である。
【符号の説明】
【００４５】
１      複写機（画像形成装置）
２      スキャナ部（動作装置）
２１    露光光源（光源）
３      プリント部（画像形成部、動作装置）
３９    定着装置
６９    電源基板
７１    第１ファン（ファン）
７２    第２ファン（ファン）
７３    第３ファン（ファン）
【図１】
2006011147.tif 000003
【図２】
2006011147.tif 000004
【図３】
2006011147.tif 000005